(57)【要約】【課題】暗い場所でも表示内容が見易く、厚さを薄くかつ変形可能に構成することができて、どのような用途にも対応しやすく、かつ取扱いやすい発光型薄層表示装置を提供することを目的とする。【解決手段】可撓性フィルムに文字や絵柄等となるドットパターンを印刷したり、Ｖ溝等を形成し、該可撓性フィルムの厚さ方向の端部に光源を配置して、前記可撓性フィルムを導光部として光源からの光をドットパターンから照射し、前記可撓性フィルムの表面に所定の文字や絵柄等を表示させるようにしたことを特徴とする発光型薄層表示装置。【選択図】図１
2009265200.tif 000002
【特許請求の範囲】
【請求項１】
可撓性フィルムに文字や絵柄等となるドットパターンを印刷したり、Ｖ溝等を形成し、該可撓性フィルムの厚さ方向の端部に光源を配置して、前記可撓性フィルムを導光部として光源からの光をドットパターンから照射し、前記可撓性フィルムの表面に所定の文字や絵柄等を表示させるようにしたことを特徴とする発光型薄層表示装置。
【請求項２】
前記可撓性フィルムと前記光源との間にライトガイドを介在させたことを特徴とする請求項１に記載の発光型薄層表示装置。
【請求項３】
前記光源が、自動点滅スイッチにより所定の間隔で自動的に点滅するようにしたことを特徴とする請求項１または２に記載の発光型薄層表示装置。
【発明の詳細な説明】
【技術分野】
【０００１】
この発明は、レストランや喫茶店その他の飲食店等におけるメニューなどとしての発光型薄層表示装置に関するものである。
【背景技術】
【０００２】
従来、レストランや喫茶店その他の飲食店等におけるメニューなどは、単なる印刷物等として構成されており、その表示が自発光するようなものではなかった。
しかしながら、レストランや喫茶店等は室内の照度を抑えて暗くしてあることが多く、メニューの内容が見づらいという問題点があった。そのため、種々の発光型メニューが提案されてきているが、その１つの例として、特開２０００−１８７４５７号公報（特許文献１参照）に記載された発明がある。
【０００３】
この特開２０００−１８７４５７号公報（特許文献１参照）に記載された発明は、重ね合わせ自在かつ見開き自在に互いに取り付けられた２枚以上の板状部を備え、該２枚以上の板状部の見開き部分に所定の表示内容が表示され、給電装置から分離自在に構成された見開き型表示装置であって；前記２枚以上の板状部のうちの最も外側の１枚の板状部は、蓄光材と、前記給電装置から給電を受けている時に、前記蓄光材に当該板状部の外側面の側から光を照射して前記蓄光材を励起する照射手段と、前記蓄光材からの光を光源光として当該板状部の見開き面側に前記表示内容の表示を出現させる表示形成部と、を有し；前記２枚以上の板状部のうちの残りの板状部は、当該板状部と隣接する板状部の蓄光材からの光にて励起される蓄光材と、該蓄光材からの光を光源光として当該板状部の見開き面に前記表示内容の表示を形成する表示形成部とを有するものである。
【特許文献１】特開２０００−１８７４５７号公報
【発明の開示】
【発明が解決しようとする課題】
【０００４】
しかしながら、前記特開２０００−１８７４５７号公報（特許文献１参照）に記載された発明においては、板状部１０，３０が一対の導光板１７および蓄光材１３，３３、透明フィルム２０，３６、保護フィルム１２，３２で構成され、透明フィルム２０，３６上に形成された所定パターンの遮光物質１９，３５が、蓄光材１３，３３殻の光を光源光として板状部１０，３０の見開き両面に表示を現出させるようになっている。
したがって、厚みが大きくてかなりかさばったものとなり、スタンドの表面に保持するのに手間がかかる上、このようなメニューを手に取って見るのに取り扱いにくいという問題点があった
【０００５】
この発明は、従来例のこのような事情に鑑みてなされたものであり、暗い場所でも表示内容が見易く、厚さを薄くかつ変形可能に構成することができて、どのような用途にも対応しやすく、かつ取扱いやすい発光型薄層表示装置を提供することを目的とする。
【課題を解決するための手段】
【０００６】
すなわちこの発明の発光型薄層表示装置は、可撓性フィルムに文字や絵柄等となるドットパターンを印刷したり、Ｖ溝等を形成し、該可撓性フィルムの厚さ方向の端部に光源を配置して、前記可撓性フィルムを導光部として光源からの光をドットパターンから照射し、前記可撓性フィルムの表面に所定の文字や絵柄等を表示させるようにしたことを特徴とするものである。
【０００７】
この発明の発光型薄層表示装置は、前記可撓性フィルムと前記光源との間にライトガイドを介在させたことをも特徴とするものである。
【０００８】
すなわちこの発明の発光型薄層表示装置は、前記光源が、自動点滅スイッチにより所定の間隔で自動的に点滅するようにしたことをも特徴とするものである。
【０００９】
なお、本明細書においては可撓性フィルムを使用しているが、素材が可撓性を有するものであっても、保持枠等を使用して可撓性フィルムに剛性を持たせて使用することができることはいうまでもない。
【発明を実施するための最良の形態】
【００１０】
以下この発明の発光型薄層表示装置の実施の形態を図面に基いて詳細に説明する。
図１はこの発明の発光型薄層表示装置の１実施例を飲食店等のメニューとして構成した場合を示し、（ａ）はその１例の拡大断面図、（ｂ）は２層タイプの例の要部拡大図、（ｃ）は３層タイプの例の要部拡大図、（ｄ）は冊子状とした例の概略斜視図、図２（ａ）は光源を１辺にのみ形成した場合の平面図、（ｂ）は光源を一対の対向する辺に形成した場合の平面図、（ｃ）は光源を４辺に形成した場合の平面図、図３はドットパターンを備えた可撓性フィルムの製造装置を示す概略図、図４はドットパターンを備えた可撓性フィルムの製造装置の他の例を示す概略図、図５はドットパターンを備えた可撓性フィルムの製造装置の別の例を示す概略図である。
【００１１】
図１（ａ）および図２（ａ）に示すように、この発明の発光型薄層表示装置は、可撓性を備えた導光フィルム１にメニュー表示類となるドットパターン３を形成し、該可撓性を備えた導光フィルム１の幅方向の１辺には光源２を配置してある。
もちろん、前記ドットパターンの印刷に代えてＶ溝等を切削やプレス加工、レーザ彫刻等によって形成することもできる。
【００１２】
また、図１（ｂ）は導光フィルム１の背面に反射フィルム５を配置した例を示し、（ｃ）は一対の導光フィルム１間に反射フィルム５を配置したサンドイッチ構造の例を示し、（ｄ）は光源６を保持可能としたライトガイド７を結束部とした冊子状の発光型薄層表示装置を示す。
【００１３】
さらに、図２（ｂ）は導光フィルム１の幅方向の一対の対向する辺に光源２を配置した例を示し、（ｃ）は導光フィルム１の４辺に光源２を配置した例を示す。
【００１４】
このような可撓性を備えた導光フィルム１へのドットパターン３の形成に際しては、図３に示すようなパターン加工装置を用いて加工される。
図３において、１１は透明樹脂フィルム１０の巻取りロールで、該フィルムロール１１から引き出した透明樹脂フィルム１０の搬送路の上下両面には３つの加熱手段１２〜１４が配置されている。
この加熱手段１２〜１４はフィルム表面を所定温度まで昇温させるため、一次加熱手段１２、二次加熱手段１３、三次加熱手段１４の順に徐々に温度を高くして配置されている。もちろん、この加熱手段１２〜１４を単独のものとしたり、３以上の数を配列したものとすることもできる。
ちなみに、前記加熱手段１２〜１４は熱風ヒータからなり、透明樹脂フィルム表面が常温〜１４０℃になるよう加熱するようにするためのものである。
【００１５】
次に前記加熱手段１２〜１４の後方には、加熱軟化した透明樹脂フィルム１０表面に圧着して該表面に多数の凹凸面を形成する成形手段、図では相対的に接離する上下一対のプレス型１５が配置してある。
なお、前記透明樹脂フィルム１０が常温〜５０℃程度でガラス転移するものの場合にも、前記相対的に接離する上下一対のプレス型１５として、前記加熱手段１２〜１４から搬送されてくる透明樹脂フィルム表面を該プレス型によって加圧成形するために加圧することができるようになっている。
【００１６】
以上のように構成したパターン加工装置においては、図３のように、フィルムロール１１から透明樹脂フィルム１０を引き出して搬送路上を加熱手段１２〜１４に送り込み、該加熱手段１２〜１４で加熱軟化した透明樹脂フィルム１０の表面にプレス型１５からなる成形手段を適用すれば、該透明樹脂フィルム１０の表面に多数の凹凸面を形成することができる。
【００１７】
図４は、パターン加工装置の他の例を示すものであり、基本的には前記加工装置と軌を一にしている。
そして、加熱手段２２〜２４の後方には、加熱軟化した透明樹脂フィルム１０表面に圧着して該表面に多数の凹凸面を形成する成形手段、図では相対的に接離する上下一対のプレス型２５が配置してある。
なおこの例では、前記透明樹脂フィルム１０をガラス転移温度以下の温度で加熱するようになっており、前記相対的に接離する上下一対のプレス型２５で、フィルムロール２１から前記加熱手段２２〜２４を経て搬送されてくる透明樹脂フィルム表面を該プレス型によって塑性変形させるために加圧することができるようになっている。
【００１８】
以上のように構成したパターン加工装置においては、図４のように、巻取りロール２１から透明樹脂フィルム１０を引き出して搬送路上を加熱手段２２〜２４に送り込み、該加熱手段２２〜２４で加熱されて温度が上昇した透明樹脂フィルム１０の表面を加圧手段２５によって加圧すれば、該透明樹脂フィルム１０は塑性変形してその表面に多数の凹凸面が形成される。
【００１９】
図５は、パターン加工装置の別の例を示すものであり、基本的には前記加工装置と軌を一にしている。
すなわち、フィルムロール３１から引き出されてくる透明樹脂フィルム１０の搬送路の適所には、レーザ加工手段３２が配置してある。このようなレーザ加工等の光学的処理を用いた場合には、可撓性を備えた導光フィルム１に精密なドットパターン３を形成することができ、しかも処理時間が迅速であるので好適である。
このレーザ加工手段３２は透明樹脂フィルム１０の両面に配置してもよく、また複数列配置することもできる。
【００２０】
図３ないし図５の加工装置は、加圧加熱手段を用いたパターン加工装置の例をそれぞれ示すものであるが、エッチング処理等の化学的処理やその他の処理を用いて行なってもよいことはもちろんである。
【００２１】
以上のように構成した、メニュー表示類となるドットパターン３を形成した可撓性を備えた導光フィルム１を導光部として、図１に示すように光源２からの光をドットパターン３から照射すれば、図２のように前記可撓性を備えた導光フィルム１の表面に所定のメニュー表示類が現出するようになる。図中４は、前記可撓性を備えた導光フィルム１と前記光源２との間に介在させたライトガイドである。
【００２２】
またこの発明の発光型薄層表示装置においては、前記光源２が、自動点滅スイッチ（図示せず）により、所定の間隔で自動的に点滅するようにすることが望ましい。この自動点滅スイッチは、光源２として装飾的な色彩や明度を備えた光源を用い、リレーやプログラム制御によって所定の間隔で自動点滅するようにすることができる。
【００２３】
前記光源２は、前記可撓性を備えた導光フィルム１の端面に沿って配置された線状光源（例えば、冷陰極管）とすることができる。もちろん、線状光源に代えて、線状に配列した複数のＬＥＤ等の点状光源を用いてもよい。また、以上の構成のバックライト型光源に代えて、前記光源２として、エレクトロルミネッセンス素子等の面発光素子などのバックライトを用いてもよい。
【００２４】
以上の実施例によれば、待機状態においては、前記光源２には給電されていない。したがって光源２は点滅しておらず、メニュー表示類となるドットパターン３も通常の発光を伴わない表示形式である。このとき、メニュー表示類となるドットパターン３を所定の色彩に着色しておけば無理なくメニュー表示類を見ることができる。
【００２５】
そして、メニュー表示類を発光した状態で見る場合には、電源をＯＮして光源２を点灯し、かつ自動点滅スイッチ（図示せず）により所定間隔で点滅させることができる。このように、メニュー表示類の表示が光源２からの発光により行われるので、暗い場所でもメニュー表示類が非常に見易くなる。
【産業上の利用可能性】
【００２６】
この発明の発光型薄層表示装置は、メニューのみならず、室内の照度を抑えて暗くした場合にも使用できる、種々のパンフレット、ポスター、ブラックライト（Ｂ／Ｌ）フィルム、カレンダー、名札、歌詞カード、絵本等の小冊子その他の用途にも応用できることはいうまでもない。
またフィルム全体を光らせ、バックライトフィルムとしても活用することができ、ＰＯＰや写真等のバックライトとして使用することが可能である。
【図面の簡単な説明】
【００２７】
【図１】この発明の発光型薄層表示装置の１実施例を飲食店等のメニューとして構成した場合を示し、（ａ）はその１例の拡大断面図、（ｂ）は２層タイプの例の要部拡大図、（ｃ）は３層タイプの例の要部拡大図、（ｄ）は冊子状とした例の概略斜視図である。
【図２】（ａ）は光源を１辺にのみ形成した場合の平面図、（ｂ）は光源を一対の対向する辺に形成した場合の平面図、（ｃ）は光源を４辺に形成した場合の平面図である。
【図３】ドットパターンを備えた可撓性フィルムの製造装置を示す概略図である。
【図４】ドットパターンを備えた可撓性フィルムの製造装置の他の例を示す概略図である。
【図５】ドットパターンを備えた可撓性フィルムの製造装置の別の例を示す概略図である。
【符号の説明】
【００２８】
１  導光フィルム
２  光源
３  ドットパターン
４  ライトガイド
５  反射フィルム
６  光源
７  ライトガイド
１０  透明樹脂フィルム
１１  フィルムロール
１２〜１４  加熱手段
１５  プレス型
２１  フィルムロール
２２〜２４  加熱手段
２５  プレス型
３１  フィルムロール
３２  レーザ加工手段
【図１】
2009265200.tif 000003
【図２】
2009265200.tif 000004
【図３】
2009265200.tif 000005
【図４】
2009265200.tif 000006
【図５】
2009265200.tif 000007